(57)【要約】【課題】顔周りの締まり具合を片手で容易に調整可能な釣用フードを提供する。【解決手段】着用者の頭部を覆うフード本体１と、着用者の頭部にフード本体１を締付け可能な調節紐１２と、調節紐１２が挿通する挿通孔３０を有し、調節紐１２を締め付けた状態で保持可能な張力調整具３とを備えた釣用フードにおいて、前記張力調整具３は、フード本体１に取り付けられ、且つ、挿通孔３０は調節紐１２が長手方向に移動できる摺動通路部３１と、該摺動通路部３１に連接され、調節紐１２の長手方向の移動を規制する制動通路部３２からなるように構成する。【選択図】　　　　　図１
2004044025.tif 000002
【特許請求の範囲】
【請求項１】
着用者の頭部を覆うフード本体（１）と、着用者の頭部にフード本体（１）を締付け可能な調節紐（１２）と、調節紐（１２）が挿通する挿通孔（３０）を有し、調節紐（１２）を締め付けた状態で保持可能な張力調整具（３）とを備えた釣用フードにおいて、前記張力調整具（３）は、フード本体（１）に取り付けられ、且つ、挿通孔（３０）は調節紐（１２）が長手方向に移動できる摺動通路部（３１）と、該摺動通路部（３１）に連接され、調節紐（１２）の長手方向の移動を規制する制動通路部（３２）からなることを特徴とする釣用フード。
【請求項２】
前記張力調整具（３）は、板状に形成され、前記フード本体（１）の表面に取り付けられていることを特徴とする請求項１に記載の釣用フード。
【請求項３】
前記張力調整具（３）は、着用時に制動通路部（３２）が摺動通路部（３１）に対して前方から下方の間の何れかの方向に位置するようにフード本体（１）に取り付けられていることを特徴とする請求項２に記載の釣用フード。
【発明の詳細な説明】
【０００１】
【発明の属する技術分野】
本発明は、釣人の頭部に着用される釣用フードに関し、特に、調節紐によって締まり具合を調節可能な釣用フードに関する。
【０００２】
【従来の技術】
従来、この種の釣用フードとしては、図６に示す如く、頭部を覆う袋状のフード本体１に顔出し用の切欠部１０が設けられなるものが知られている。
【０００３】
かかる釣用フードには、紐通穴（図示省略）が形成され、該紐通穴には調節紐２４が挿通されている。該調節紐２４は、両方の側頭部７前側に設けられた鳩目１４から外側に裸出すると共に、裸出した部分に張力調整具としてスライド式ストッパー１５が設けられており、該スライド式ストッパー１５で前記切欠部１０の周縁に配された調節紐２４の長さを調節することにより、フード本体１の締まり具合を調整できる機構となっている。
【０００４】
前記スライド式ストッパー１５は、外形が円柱状に形成され、調節紐２４を挿通可能な貫通穴１５ａが外周面に設けられている。そして、スライド式ストッパー１５に設けられたボタン１５ｂを押すことで貫通孔１５ａに挿通された調節紐２４が移動可能となり、ボタン１５ｂを放せば調節紐２４の移動が規制されるように構成されている。
【０００５】
【発明が解決しようとする課題】
しかしながら、前記スライド式ストッパー１５の位置を調整するには、一方の手で調節紐２４を保持し、他方の手でボタン１５ｂを押しながらスライド式ストッパー１５の位置を移動させる必要がある。
【０００６】
切欠部１０の締まり具合を均等に調整するには、左右の側頭部７から裸出した調節紐２４を同時に調整することが好ましいが、上記のように、スライド式ストッパー１５の位置調整は両手で行わなければならないため、左右同時に調整することは困難であった。
【０００７】
また、例えば、釣竿を持っているときなど片手が塞がっているときにはスライド式ストッパー１５の位置調整を行うことは困難になるという問題があった。
【０００８】
本発明は、斯かる実情に鑑み、顔周りの締まり具合を片手で容易に調整可能な釣用フードを提供することを課題とする。
【０００９】
【課題を解決するための手段】
上記課題を解決するために、本発明に係る釣用フードは、請求項１に記載の如く、着用者の頭部を覆うフード本体１と、着用者の頭部にフード本体１を締付け可能な調節紐１２と、調節紐１２が挿通する挿通孔３０を有し、調節紐１２を締め付けた状態で保持可能な張力調整具３とを備えた釣用フードにおいて、前記張力調整具３は、フード本体１に取り付けられ、且つ、挿通孔３０は調節紐１２が長手方向に移動できる摺動通路部３１と、該摺動通路部３１に連接され、調節紐１２の長手方向の移動を規制する制動通路部３２からなることを特徴とする。
【００１０】
かかる請求項１に記載の釣用フードによれば、調節紐１２を片手で把持して引っ張ることで切欠部１０の締まり具合を調整した後、当該調節紐１２を張力調整具３の摺動通路部３１から制動通路部３２に移動させることで、調節紐１２の長手方向の移動を規制することができる。
【００１１】
また、本発明に係る釣用フードは、請求項２に記載の如く、請求項１に記載の釣用フードにおいて、張力調整具３は板状に形成され、前記フード本体１の表面に取り付けられていることを特徴とする。
【００１２】
そうすれば、フード本体１の表面の出っ張りを少なくし、張力調整具３が手などに引っ掛かることを防止できる。
【００１３】
さらに、本発明に係る釣用フードは、請求項３に記載の如く、請求項２に記載の釣用フードにおいて、張力調整具３は、着用時に制動通路部３２が摺動通路部３１に対して前方から下方の間の何れかの方向に位置するようにフード本体１に取り付けられていることを特徴とする。尚、前方とは顔方向を示し、下方とは首方向を示す。
【００１４】
かかる請求項３に記載の釣用フードによれば、把持した調節紐１２を前方乃至下方に向けて引っ張ることにより、摺動通路部３１に位置する調節紐１２を制動通路部３２に移動させることができる。
【００１５】
【発明の実施の形態】
以下、本発明の実施の形態を添付図面を参照して説明する。
【００１６】
本実施形態に係る釣用フードは、図１に示す如く、顔が露出される切欠部１０を有し頭部に着用されるフード本体１と、着用時にフード本体１の締付け具合を調整する第一調整紐１２及び第二調整紐調節紐１３と、フード本体１の側頭部の前方に縫着された紐止め具３とを備えている。
【００１７】
前記フード本体１は、図３に示す如く、防水加工された外布８と、肌触りのソフトな内布９とで主構成され、着用者の頭部を覆うように袋状に形成されており、両側の側頭部７（着用者の側頭部や顎の側面を覆う部分）の前方端縁、即ち、顔出し用切欠部１０の切欠部縁からは、前方、即ち、着用時の着用者の顔側に向けて、舌片状のマスク片２がそれぞれ延設されてなり、該マスク片２の一方には、少なくとも自由端２７近傍に雄形の面ファスナー２２が、他方の少なくとも自由端２７近傍に雌形の面ファスナー２３が設けられて、マスク片２の自由端２７側同士が互いに係合可能に構成されてなる。即ち、マスク片２同士を係合することにより、着用者の口周辺を覆うことができると共に、切欠部１０によって少なくとも両目が露出するように構成されている。
【００１８】
前記フード本体１の内面下端縁近傍には、該下端縁に沿って平行にドットボタン１１の一方が取り付けられている一方、同他方が襟部などに取り付けられ、これらのドットボタンを互いに係合させることによって、フード本体１を釣服に取付可能とされている。
【００１９】
また、図４に示す如く、フード本体１の後頭部１６（着用者の後頭部を覆う部分）の外表面（外布８の外側面）には、後頭部１６の上側のだぶつきを防止する絞り手段が設けられてなる。この絞り手段は、同図に示す如く、長尺状の布片の一端２８（固定端）が外布８の後頭部１６上部に縫着され、他端（自由端２９）側には、雄形（又は雌形）面ファスナー１９が設けられて絞り片１７が形成されると共に、後頭部１６下部の外布８には、前記絞り片１７と略平行に長尺状の雌形（又は雄形）面ファスナー１８が縫着されて構成されてなる。即ち、絞り片１７の自由端２９側を引張り、後頭部１６のだぶつきを絞った後、絞り片１７を緊張させた状態で、絞り片１７の面ファスナー１９と外布８に縫着された面ファスナー１８とを係合することにより、後頭部１６の上側のだぶつきを取り除くことができる構成である。
【００２０】
フード本体１には、外布８と内布９とを縫着することにより、第一紐通路２０（図１）が形成されている。詳細に説明すると、第一紐通路２０は、一方の側頭部７の前側から切欠部１０の上方を通り、他方の側頭部７前側まで形成されている。該第一紐通路２０には、前記第一調節紐１２が長手方向に移動可能に挿通されている。
【００２１】
かかる第一調節紐１２は、側頭部７の外布８に開口した裸出口４（図２（ロ）参照）より外側に露出しており、当該露出した調節紐１２を把持して引っ張ることにより、切欠部１０の締まり具合を調整可能に構成されている。
【００２２】
さらに、フード本体１には、一方の側頭部７の前側から後頭部１６を通り他方の側頭部７まで形成された第二紐通路２１（図４）が設けられており、該第二紐通路２１には、第二調節紐１３が長手方向に移動可能に挿通されている。かかる第二調節紐１３もまた、側頭部７の外布８に開口した裸出口４より外側に露出しており、当該露出した調節紐１３を把持して引っ張ることにより、後頭部１６の締まり具合を調整可能に構成されている。尚、前記各調節紐１２，１３は、伸縮性を有する天然ゴムやブタジエンゴム、イソプレンゴム、スチレンゴム、シリコンゴムなどの合成ゴムの表面に、筒状に形成された合成樹脂繊維を被覆することで形成される。
【００２３】
また、両側頭部７の前側には、各調節紐１２，１３の長手方向の移動を規制可能な紐止め具３がそれぞれ二つずつ取り付けられている。詳細に説明すると、図１及び図２に示す如く、前記紐止め具３は、略板状、好ましくは平面視楕円の円盤状に形成され、フード本体１の裸出口４近傍に縫着されている。該紐止め具３，３には、前記裸出口４と連通する挿通孔３０が設けられ、裸出口４から裸出した各調節紐１２，１３が該挿通孔３０に挿通されている。尚、前記紐止め具３は、エラストマーなどの熱可塑性樹脂を射出成形や押出成形することによって厚さが０．５〜５ｍｍ程度に形成される。
【００２４】
前記紐止め具３の挿通孔３０は、各調節紐１２，１３が、長手方向に自由に移動可能な摺動通路部３１と、該摺動通路部３１に連接され、各調節紐１２，１３の長手方向の移動を規制する制動通路部３２とから構成され、各調節紐１２，１３は、摺動通路部３１と制動通路部３２との間を移動することができる。
【００２５】
かかる紐止め具３は、制動通路部３２が摺動通路部３１よりも前方（顔方向）に位置するように縫着されていることが好ましい。即ち、フード本体１を着用したときに、摺動通路部３１と制動通路部３２が略水平方向に位置し、且つ、制動通路部３２が摺動通路部３１に対して前方に配置されている。従って、摺動通路部３１に挿通された第一調整紐１２（又は第二調整紐１３）を顔方向に引っ張ると、第一調整紐１２（又は第二調整紐１３）が、制動通路部３２に移動する。
【００２６】
前記摺動通路部３１は、各調節紐１２，１３の直径よりも大きい直径の穴を穿設することで形成され、制動通路部３２は、前記摺動通路部３１と略同径もしくは、摺動通路部３１よりも大きい直径の穴を穿設することで形成され、各調節紐１２，１３は摺動通路部３１と制動通路部３２とを移動可能に構成されている。
【００２７】
制動通路部３２には、略扇状に形成された４つの舌状片３３が設けられている。かかる舌状片３３は、制動通路部３２の穴の内周面から中心側に向かって突設され、扇状の要部分が中心側に位置するように形状設定されている。また、舌状片３３は弾性を有し、各調節紐１２，１３が制動通路部３２に移動すると当該各調節紐１２，１３と干渉して弾性変形することによる弾性力によって保持され、これによって各調節紐１２，１３の長手方向の移動が規制されるように構成されている。
【００２８】
また、紐止め具３の下方位置には、鳩目６が設けられており、挿通孔３０（裸出口）より外側に裸出した各調節紐１２，１３は、該鳩目６に挿通されることにより、再び外布８と内布９の間に収納される。即ち、挿通孔３０より裸出した各調節紐１２，１３を引っ張ったときに各紐通路２０，２１より露出する各調節紐１３，１２を、鳩目６に挿通することにより、露出した各調節紐１２，１３が手などに引っ掛かったりすることを防止できる。
【００２９】
本実施形態に係る釣用フードは、上記の如く構成され、第一調節紐１２が紐止め具３の挿通孔３０の摺動通路部３１に位置しているときに、フード本体１の側頭部７から露出した第一調節紐１２を引っ張って切欠部１０周りの締まり具合を調節した後、第一調節紐１２を制動通路部３２に移動させることにより当該第一調節紐１２の引き出し状態が固定される。即ち、切欠部１０の締付け状態を保持することができる。
【００３０】
同様に第二調節紐１３引っ張って後頭部１６の締まり具合を調節した後、第二調節紐１３を制動通路部３２に移動させることにより当該第二調節紐１３の引き出し状態が固定され、後頭部１６の締付け状態を保持することができる。
【００３１】
また、各調節紐１２，１３を制動通路部３２から摺動通路部３１に移動させることにより、各調節紐１２，１３が長手方向に移動可能となり、切欠部１０周り及び後頭部１６の締付けが容易に解放される。
【００３２】
このように、各調節紐１２，１３の長さ、即ち、フード本体１の締まり具合の調節を片手で行うことができるため、もう片方の手が塞がっている場合であっても、切欠部周りの締まり具合を容易に調節することができる。
【００３３】
また、両手が空いている場合は、両側頭部７から露出した各調節紐１２，１３を両手でそれぞれ把持することにより、左右同時に締まり具合の調節を行うことも可能となる。
【００３４】
また、従来の釣用フードにあっては、略円柱状のスライド式ストッパー１５が側頭部７にあったため、着用したときにゴツゴツとして着用感が悪く、さらに釣を行うときにスライド式ストッパー１５が手などに当たって引っ掛かったりすることがあったが、紐止め具３は、板状に形成されているため引っ掛かり難く、装着感も良好になるという利点を有する。
【００３５】
紐止め具３の制動通路部３２が摺動通路部３１よりも前方（顔方向）に位置するように紐止め具３を縫着することにより、各調節紐１２，１３を顔方向に向かって引っ張ることで該各調節紐１２，１３が摺動通路部３１から制動通路部に移動するため、着用した釣用フードが脱げることを防止できる。即ち、釣用フードは、着用者の後頭部から顔方向に向けて被るように構成されているため、該フードを後頭部に向けて引っ張ると脱げる虞があるが、各調節紐１２，１３を顔方向に向けて引っ張って固定するように構成することにより、着用した釣用フードが脱げることを防止できる。
【００３６】
尚、本発明の釣用フードは、上記した実施の形態に限定されるものではなく、本発明の要旨を逸脱しない範囲内において種々変更を加え得ることは勿論である。例えば、紐通路及び調節紐は上記実施形態の数や位置に限定されるものではなく、適宜変更可能である。
【００３７】
本実施形態において、制動通路部３２の舌状片３３は、４つ設けられているが、３つ以下であってもよいし、５つ以上であってもよい。即ち、舌状片３３によって、調節紐１２，１３の長手方向の移動が規制可能に構成されていればよい。
【００３８】
紐止め具３の取付方向は、前記実施形態に限定されるものではない。但し、制動通路部３２が摺動通路部３１に対して前方から下方の間の何れかの方向に位置するように取り付けることが好ましい。そうすれば、前記実施形態同様、各調節紐１２，１３を制動通路部３２に移動させる際に釣用フードが脱げることを防止することができる。
【００３９】
紐止め具３は、上記実施形態の形状に限定されるものではなく、図５に紐止め具の他の形態を示す。具体的に説明すると、図５（イ）に示す紐止め具３′は、二本の調節紐１２，１３が挿通可能な摺動通路部３１と、該摺動通路部３１に連接された二つの制動通路部３２，３２とを備え、フード本体１を着用したときに、一方の制動通路部３２が摺動通路部３１に対して前方に向かって配置され，他方の制動通路部３２が摺動通路部３１に対して後方向かって配置されている。従って、第一調節紐１２を一方の制動通路部３２に移動させ、また、第二調節紐１３を他方の制動通路部３２に移動させることで、各調整紐１２，１３の長手方向の移動を規制するように構成されている。
【００４０】
また、図５（ロ）に示す紐止め具３″は、一つの摺動通路部３１と、二つの制動通路部３２，３２とを備え、各制動通路部３２，３２が、摺動通路部３１に対して略９０゜の角度をなして配置されている。そして、フード本体１を装着したときは、各制動通路部３２，３２が摺動通路部３１に対して前方斜め上側及び前方斜め下側に配置されている。または、紐止め具３″は、摺動通路部３１に対して一方の制動通路部３２が前方で、且つ、他方の制動通路部３２が下方になるようにフード本体１に縫合されていてもよい。
【００４１】
上記実施形態において、紐止め具３は、調節紐に対応した数だけ各側頭部７に設けられているが、紐止め具３の数が多くなると、紐止め具３の縫合が煩雑になる。そこで、図５に示す如く、一つの紐止め具に調節紐の数に対応した複数の制動通路部を設けることにより、紐止め具の数を少なくすることが可能となる。尚、摺動通路部３１と制動通路部３２との相対的な配置は、図５に示すものに限定されるものではなく適宜変更可能である。
【００４２】
前記紐止め具３の挿通孔３０を、例えば、制動通路部３２を各調節紐１２，１３の直径よりも小さい直径の穴や長円状の穴に形成してもよい。即ち、制動通路部３２が各調節紐１２，１３の長手方向の移動を規制可能な形状であればよい。
【００４３】
また、各調節紐１２，１３は、伸縮性を有しない綿や麻などの繊維製の紐や、合成繊維製の紐であってもかなわない。
【００４４】
紐通路は、外布８又は内布９に別の布を縫着することによって形成してもよいし、外布８又は内布９に調節紐が挿通可能な環状の紐を取り付けることにより形成してもよい。
【００４５】
【発明の効果】
以上のように、本発明に係る釣用フードは、調節紐が長手方向に移動可能な摺動通路部と、前記調節紐の長手方向の移動を規制する制動通路部とを備えた紐止め具をフード本体に取り付けることにより、着用者の頭部へのフード本体の締まり具合を片手で容易に調整することができる。
【図面の簡単な説明】
【図１】本発明の一実施形態に係る釣用フードを示す斜視図。
【図２】同釣用フードに設けられた紐止め具を示し、（イ）は平面図、（ロ）は（イ）におけるＡ−Ａ線断面図。
【図３】同釣用フードを示す正面図。
【図４】同釣用フードの後頭部を示す背面図。
【図５】（イ）及び（ロ）は、紐止め具の他の形態を示す平面図。
【図６】従来の釣用フードを示す斜視図。
【符号の説明】
１…フード本体、２…マスク片、３…紐止め具（張力調整具）、４…裸出口、６…鳩目、７…側頭部、８…外布、９…内布、１０…切欠部、１１…ドットボタン、１２…第一調節紐、１３…第二調節紐、１６…後頭部、１７…絞り片、１８，１９…面ファスナー、２０…第一紐通路、２１…第二紐通路、２２，２３…面ファスナー、３０…挿通孔、３１…摺動通路部、３２…制動通路部、３３…舌状片
【図１】
2004044025.tif 000003
【図２】
2004044025.tif 000004
【図３】
2004044025.tif 000005
【図４】
2004044025.tif 000006
【図５】
2004044025.tif 000007
【図６】
2004044025.tif 000008